(57)【要約】      （修正有）【課題】既に設置され、利用されているカウンターテーブルに対しても容易に適用することが可能であると共に、板状体を開状態から閉状態へ遷移する際の衝撃を緩和する緩衝装置を提供する。【解決手段】カウンターテーブルの天板の一部を構成し、蝶番３ａにより開閉可能に枢着された板状体３に固定されたブラケット７と、蝶番３ａの回転軸と直交する平面上で板状体３に沿うようにブラケット７に設けられた長穴７ａと、天板の本体５に設けられたダンパー蝶番１１と、一端が長穴７ａに係合すると共に、他端がダンパー蝶番１１に枢着することでブラケット７とダンパー蝶番１１とを連結するリンク部材９と、を備える。ダンパー蝶番１１は、板状体３が開状態から閉状態へ遷移することを妨げる方向に、板状体３を付勢する。【選択図】図１
0003170786.tif 000002
【実用新案登録請求の範囲】
【請求項１】
カウンターテーブルの天板の一部を構成し、蝶番により開閉可能に枢着された板状体が、開状態から閉状態へ遷移する際の衝撃を緩和する緩衝装置であって、
前記板状体に固定されたブラケットと、
前記蝶番の回転軸と直交する平面上で前記板状体に沿うように前記ブラケットに設けられた長穴と、
前記天板の本体に設けられたダンパー蝶番と、
一端が前記長穴に係合すると共に、他端が前記ダンパー蝶番に枢着することで前記ブラケットと前記ダンパー蝶番とを連結するリンク部材と、を備え、
前記ダンパー蝶番は、前記板状体が開状態から閉状態へ遷移することを妨げる方向に、前記板状体を付勢することを特徴とする緩衝装置。
【請求項２】
カウンターテーブルの天板の一部を構成し、蝶番により開閉可能に枢着された板状体が、開状態から閉状態へ遷移する際の衝撃を緩和する緩衝装置であって、
前記天板の本体に固定されたブラケットと、
前記蝶番の回転軸と直交する平面上で前記天板の本体に沿うように前記ブラケットに設けられた長穴と、
前記板状体に設けられたダンパー蝶番と、
一端が前記長穴に係合すると共に、他端が前記ダンパー蝶番に枢着することで前記ブラケットと前記ダンパー蝶番とを連結するリンク部材と、を備え、
前記ダンパー蝶番は、前記板状体が開状態から閉状態へ遷移することを妨げる方向に、前記板状体を付勢することを特徴とする緩衝装置。
【請求項３】
前記長穴は、前記蝶番から遠い方の端部が、前記蝶番に近い方の端部よりも前記板状体の裏面または前記天板の本体の裏面から離れるように前記ブラケットに設けられていることを特徴とする請求項１または請求項２記載の緩衝装置。
【考案の詳細な説明】
【技術分野】
【０００１】
本考案は、カウンターテーブルの天板の一部を構成し、蝶番により開閉可能に枢着された板状体が、開状態から閉状態へ遷移する際の衝撃を緩和する技術に関する。
【背景技術】
【０００２】
従来から、天板の一部の板状体が蝶番により開閉可能となっているカウンターテーブルが知られている。この板状体の重量はかなり大きいため、閉状態から開状態とする際に、板状体を上方へ跳ね上げ、そのまま反転するように天板の本体の上に倒すと、大きな衝撃が生ずると共に、大きな衝撃音が生ずることがある。また、開状態から閉状態とする際にも同様の問題が発生する。
【０００３】
このため、このようなカウンターテーブルにおいて、板状体の開放時の位置を制限する機構が提案されている（特許文献１）。この技術では、カウンターテーブルの天板の一部を構成する板状体が、蝶番により天板本体部に開閉可能に枢着されている。また、２枚のストッパープレートが枢着され、一方のストッパープレートの他側端部を天板本体部の裏面側に、また他方のストッパープレートの他側端部を板状体側に設ける。そして、板状体が垂直起立位置よりやや後傾した位置で、一方のストッパープレートが天板本体部裏面に当接することで、板状体の開放時の位置を制限している。また、この技術では、ガスダンパーを用いており、板状体を開状態または閉状態にする際にガスダンパーの付勢力を利用する。
【先行技術文献】
【特許文献】
【０００４】
【特許文献１】実開平５−００４９６３号公報
【考案の概要】
【考案が解決しようとする課題】
【０００５】
しかしながら、このような技術は、既に設置され、利用されているカウンターテーブルに適用することは容易ではない。機構がある程度の大きさを有するため、カウンターテーブルに適用すると、人が通過する際に、邪魔になる場合がある。また後付けの際の自由度が少なく、また、現場での作業にも大きな労力とコストを要する場合もある。また、この技術では付勢力を得るためにガスダンパーを用いているが、ガスダンパーを用いる手法では、コストが大きくなり需要にそぐわない場合もある。また、比較的低価格のスプリング式のダンパーもあるが、スプリング式のダンパーは縮む量が大きくなる程、反発力が強くなってしまう。このため、板状体が閉じる直前で止まってしまわないように調整しなければならず、使い勝手が良いとは言えない。
【０００６】
本考案は、上記のような事情に鑑みてなされたものであり、既に設置され、利用されているカウンターテーブルに対しても容易に適用することが可能であると共に、板状体を開状態から閉状態へ遷移する際の衝撃を緩和することができる緩衝装置を提供することを目的とする。
【課題を解決するための手段】
【０００７】
（１）上記の目的を達成するために、本考案は、以下のような手段を講じた。すなわち、本考案の緩衝装置は、カウンターテーブルの天板の一部を構成し、蝶番により開閉可能に枢着された板状体が、開状態から閉状態へ遷移する際の衝撃を緩和する緩衝装置であって、前記板状体に固定されたブラケットと、前記蝶番の回転軸と直交する平面上で前記板状体に沿うように前記ブラケットに設けられた長穴と、前記天板の本体に設けられたダンパー蝶番と、一端が前記長穴に係合すると共に、他端が前記ダンパー蝶番に枢着することで前記ブラケットと前記ダンパー蝶番とを連結するリンク部材と、を備え、前記ダンパー蝶番は、前記板状体が開状態から閉状態へ遷移することを妨げる方向に、前記板状体を付勢することを特徴とする。
【０００８】
このように、リンク部材が、ブラケットと前記ダンパー蝶番とを連結するので、構成を簡易にすることができ、現場での設置作業に要する労力やコストを抑えることが可能となる。また、長穴を有するため、板状体の開状態から閉状態へ遷移させる際に、直ちにダンパー蝶番の付勢力が板状体に与えられることがなくなり、操作を容易に行なうことが可能となる。すなわち、長穴があることによって、板状体の開いている角度が９０度よりも小さくなったときにダンパー蝶番の付勢力が板状体に働くようにすることができる。これにより、板状体が開状態から閉状態へ遷移する際に、板状体がダンパー蝶番の付勢力を受けながらゆっくりと閉まって行くので、カウンターテーブルの衝撃を緩和することが可能となる。
【０００９】
（２）また、本考案の緩衝装置は、カウンターテーブルの天板の一部を構成し、蝶番により開閉可能に枢着された板状体が、開状態から閉状態へ遷移する際の衝撃を緩和する緩衝装置であって、前記天板の本体に固定されたブラケットと、前記蝶番の回転軸と直交する平面上で前記天板の本体に沿うように前記ブラケットに設けられた長穴と、前記板状体に設けられたダンパー蝶番と、一端が前記長穴に係合すると共に、他端が前記ダンパー蝶番に枢着することで前記ブラケットと前記ダンパー蝶番とを連結するリンク部材と、を備え、前記ダンパー蝶番は、前記板状体が開状態から閉状態へ遷移することを妨げる方向に、前記板状体を付勢することを特徴とする。
【００１０】
このように、リンク部材が、ブラケットと前記ダンパー蝶番とを連結するので、構成を簡易にすることができ、現場での設置作業に要する労力やコストを抑えることが可能となる。また、長穴を有するため、板状体の開状態から閉状態へ遷移させる際に、直ちにダンパー蝶番の付勢力が板状体に与えられることがなくなり、操作を容易に行なうことが可能となる。すなわち、長穴があることによって、板状体の開いている角度が９０度よりも小さくなったときにダンパー蝶番の付勢力が板状体に働くようにすることができる。これにより、板状体が開状態から閉状態へ遷移する際に、板状体がダンパー蝶番の付勢力を受けながらゆっくりと閉まって行くので、カウンターテーブルの衝撃を緩和することが可能となる。
【００１１】
（３）また、本考案の緩衝装置において、前記長穴は、前記蝶番から遠い方の端部が、前記蝶番に近い方の端部よりも前記板状体の裏面または前記天板の本体の裏面から離れるように前記ブラケットに設けられていることを特徴とする。
【００１２】
この構成により、板状体が開状態から閉状態へ遷移する際に、急激な速度変化を生じないようにさせることが可能となる。
【考案の効果】
【００１３】
本考案によれば、リンク部材が、ブラケットと前記ダンパー蝶番とを連結するので、構成を簡易にすることができ、現場での設置作業に要する労力やコストを抑えることが可能となる。また、長穴を有するため、板状体の開状態から閉状態へ遷移させる際に、直ちにダンパー蝶番の付勢力が板状体に与えられることがなくなり、操作を容易に行なうことが可能となる。すなわち、長穴があることによって、板状体の開いている角度が９０度よりも小さくなったときにダンパー蝶番の付勢力が板状体に働くようにすることができる。これにより、板状体が開状態から閉状態へ遷移する際に、板状体がダンパー蝶番の付勢力を受けながらゆっくりと閉まって行くので、カウンターテーブルの衝撃を緩和することが可能となる。
【図面の簡単な説明】
【００１４】
【図１】本考案に係る緩衝装置をカウンターテーブルに適用した状態を示す図である。
【図２】板状体の開状態を示す図である。
【図３】板状体が開状態から閉状態へ遷移している最中の状態を示す図である。
【図４】板状体の閉状態を示す図である。
【図５】カウンターテーブルの試作品に本実施形態に係る緩衝装置を取り付け、板状体が開いた様子を示す図である。
【図６】カウンターテーブルの試作品に本実施形態に係る緩衝装置を取り付け、板状体が閉じた様子を示す図である。
【図７】第２の実施形態に係る緩衝装置を示す図である。
【考案を実施するための形態】
【００１５】
次に、本考案に係る実施形態について、図面を参照しながら説明する。
（第１の実施形態）
図１は、本考案に係る緩衝装置をカウンターテーブルに適用した状態を示す図である。この緩衝装置１は、カウンターテーブルの天板の一部を構成する板状体３が、開状態から閉状態へ遷移する際の衝撃を緩和するものである。板状体３は、蝶番３ａによって、天板本体５に開閉可能に枢着されており、板状体３には、ブラケット７が固定されている。ブラケット７は、断面がＬ字状に形成された一組の金属部材である。ブラケット７には、長穴７ａが設けられている。長穴７ａは、蝶番３ａの回転軸と直交する平面上で、板状体３に沿うようにブラケット７に設けられている。第１の実施形態では、長穴７ａは、蝶番３ａの回転軸と直交する平面上で、板状体３と平行に設けられている。リンク部材９は、概略Ｖ字状に形成された金属プレートである。リンク部材９の一端の係合部９ａは、長穴７ａにスライド自在に係合する。また、リンク部材９の他端の係合部９ｂは、ダンパー蝶番１１に枢着されている。ダンパー蝶番１１は、例えば、オイル式のダンパー機能を有するものを用いることが可能である。このため、常に一定の付勢力を生じさせることが可能である。なお、本実施形態では、ダンパー蝶番１１にリンク部材９を枢着させるために、断面がＬ字状に形成され、リンク部材９が係合する係合部を有する一組の金属部材をダンパー蝶番１１にネジ止めする例を示している。しかし、これはあくまでも一例であり、ダンパー蝶番１１と金属部材とが一体形成されていても本考案の本質は変わらない。
【００１６】
図２は、板状体の開状態を示す図であり、図３は、板状体が開状態から閉状態へ遷移している最中の状態を示す図であり、図４は、板状体の閉状態を示す図である。図２に示すように、板状体３の開状態では、リンク部材９の一端の係合部９ａは、長穴７ａの蝶番３ａ側の端部で係止されている。これにより、板状体３は開状態の位置が制限され、反対側へ回転して天板本体５の表面と衝突することは回避される。
【００１７】
板状体３の開状態で、使用者が板状体３に手を添えて板状体３を閉じようとすると、板状体３は、自重で閉状態へ向かって蝶番３ａの回転軸を中心に回転を始める。次に、板状体３が回転を始めたことから、長穴７ａの蝶番３ａ側の端部で係止されていたリンク部材９の一端の係合部９ａは、長穴７ａ内をスライドし、長穴７ａの反対側の端部へ移動する。リンク部材９の一端の係合部９ａが、長穴７ａの蝶番３ａと反対側の端部で係止されると、板状体３の自重による力は、係合部９ａ、リンク部材９、係合部９ｂを介して、ダンパー蝶番１１に伝達される。このとき、ダンパー蝶番１１は、回転軸１１ａを中心に回転を始めるが、その回転を妨げる方向の力を発生させる。その結果、板状体３が開状態から閉状態へ遷移することを妨げることとなる。これにより、板状体３が急激に閉まることがなくなり、衝撃を緩和することが可能となる。
【００１８】
図４に示すように、板状体３が閉状態となると、リンク部材９の一端の係合部９ａは、長穴７ａの蝶番３ａと反対側の端部に係止されている。また、ダンパー蝶番１１は、図４の紙面に向かって時計回りに回転した後の状態となっている。
【００１９】
図５は、カウンターテーブルの試作品に本実施形態に係る緩衝装置を取り付け、板状体３が開いた様子を示している。また、図６は、カウンターテーブルの試作品に本実施形態に係る緩衝装置を取り付け、板状体３が閉じた様子を示している。従来技術のように大がかりな機構ではないため、既に利用されているカウンターテーブルであっても、簡易に取り付けることが可能である。また、小型であるため、後付けであっても、使用者が通過する際の妨げになることは無い。
【００２０】
このように、本実施形態によれば、リンク部材９が、ブラケット７とダンパー蝶番１１とを連結するので、構成を簡易にすることができ、現場での設置作業に要する労力やコストを抑えることが可能となる。また、長穴７ａを有するため、板状体３の開状態から閉状態へ遷移させる際に、直ちにダンパー蝶番１１の付勢力が板状体３に与えられることがなくなり、操作を容易に行なうことが可能となる。すなわち、長穴７ａがあることによって、板状体３の開いている角度が９０度よりも小さくなったときにダンパー蝶番１１の付勢力が板状体３に働くようにすることができる。これにより、板状体３が開状態から閉状態へ遷移する際に、板状体３がダンパー蝶番１１の付勢力を受けながらゆっくりと閉まって行くので、カウンターテーブルの衝撃を緩和することが可能となる。
【００２１】
（第２の実施形態）
図７は、第２の実施形態に係る緩衝装置を示す図である。第１の実施形態と異なる点は、ブラケット１５である。このブラケット１５は、第１の実施形態とは異なる長穴１５ａを有する。この長穴１５ａは、蝶番３ａから遠い方の端部が、蝶番３ａに近い方の端部よりも板状体３の裏面から離れるようにブラケット１５に設けられている。発明者の検討により、第１の実施形態のような長穴であると、板状体３を閉める際に、板状体３が加速し、閉まる速度が次第に早くなる場合があることが分かった。板状体３を緩やかに閉めるためには、長穴を傾斜させたり、円弧状にしたりすることが有効である。第２の実施形態では、図７に示すように、板状体３に対して長穴１５ａが斜めになるように、長穴１５ａをブラケット１５に設けた。これにより、板状体３が閉まる際に、急激な速度変化を生じないようにさせることが可能となる。
【００２２】
なお、以上説明した実施形態は、あくまでも一例であり、本考案は、これらに限定されるわけではない。例えば、上記各実施形態では、ブラケットを板状体に設ける一方、ダンパー蝶番を天板本体に設けたが、ブラケットを天板本体に設け、ダンパー蝶番を板状体に設けるようにしても考案の本質は変わらない。また、リンク部材もＶ字状を例にとって説明したが、Ｖ字状に限定されるわけではなく、円弧状であっても良いし、棒状であっても良い。また、長穴の形状も、楕円状、円弧状であっても良い。
【符号の説明】
【００２３】
１  緩衝装置
３  板状体
３ａ  蝶番
５  天板本体
７  ブラケット
７ａ  長穴
９  リンク部材
９ａ  係合部
９ｂ  係合部
１１  ダンパー蝶番
１１ａ  回転軸
１５  ブラケット
１５ａ  長穴
【図１】
0003170786.tif 000003
【図２】
0003170786.tif 000004
【図３】
0003170786.tif 000005
【図４】
0003170786.tif 000006
【図５】
0003170786.tif 000007
【図６】
0003170786.tif 000008
【図７】
0003170786.tif 000009